(57)【要約】【課題】ガス漏れの濃度レベルにより器具の使用制限機能を適切に制御することを目的とする。【解決手段】流量を計測する流量検出手段２４と、検出値より流量を演算し求めた瞬時流量より平均流量を求める平均流量演算手段２６と、平均流量を器具流量として登録する流量登録手段２７と、警報器２０よりガス漏れの濃度レベル対応信号を入力するガス漏洩判定手段２８と、ガス漏れ濃度に応じた警報信号で登録流量に対応した使用時間制限時間を変更し異常判定手段２７に出力し監視させる使用時間調整手段３２とからなる。【選択図】図２
2009047521.tif 000002
【特許請求の範囲】
【請求項１】
ガス漏れの有無を監視する警報器と、前記警報器に接続されると共に複数のガス器具の使用状況を監視するとともに、異常発生時にガスの供給を遮断するガス遮断装置であって、ガス流量を計測する流量検出手段と、前記流量検出手段の検出値より流量値を演算する流量演算手段と、前記流量演算手段より求めた瞬時流量値を平均化して平均流量値を求める平均流量演算手段と、前記平均流量演算手段で求めた平均流量より器具流量として判定時流量登録する流量登録手段と、前記警報器よりガス漏れの濃度レベルに応じた出力信号を入力するガス漏洩判定手段と、前記平均演算手段からの流量や前記流量登録手段からの登録流量や前記ガス漏洩判定手段からの信号により使用器具の異常状態を監視し異常の有無を判定する異常判定手段と、前記警報器からの濃度に応じた警報信号を受信すると登録流量に対応した使用時間制限時間を変更し前記異常判定手段に出力し監視させる使用時間調整手段と、前記異常判定手段の異常判定成立した時ガスの供給を遮断する遮断手段とを備えたガス遮断装置。
【請求項２】
ガス漏れの有無を監視し無線送信手段を介し送信する警報器と、前記警報器に接続されると共に複数のガス器具の使用状況を監視するとともに、異常発生時にガスの供給を遮断するガス遮断装置であって、ガス流量を計測する流量検出手段と、前記流量検出手段の検出値より流量値を演算する流量演算手段と、前記流量演算手段より求めた瞬時流量値を平均化して平均流量値を求める平均流量演算手段と、前記平均流量演算手段で求めた平均流量より器具流量として判定時流量登録する流量登録手段と、前記警報器よりガス漏れの濃度レベルに応じた出力信号を入力するガス漏洩判定手段と、前記平均演算手段からの流量や前記流量登録手段からの登録流量や前記ガス漏洩判定手段からの信号により使用器具の異常状態を監視し異常の有無を判定する異常判定手段と、前記警報器からの警報信号を受信する無線手段と、前記無線手段を通じ前記警報器からの濃度に応じた警報信号を受信すると登録流量に対応した使用時間制限時間を変更し前記異常判定手段に出力し監視させる使用時間調整手段と、前記異常判定手段の異常判定成立した時ガスの供給を遮断する遮断手段とを備えたガス遮断装置。
【請求項３】
請求項１〜２のいずれか１項に記載のガス遮断装置を用いたガス供給システム。
【発明の詳細な説明】
【技術分野】
【０００１】
本発明は、警報器とガス遮断装置に関し、特に、警報器の出力信号により器具の使用制限制御機能により保安を高めるガス遮断装置に関するものである。
【背景技術】
【０００２】
従来、この種のガス遮断装置としては、例えば特開平１１−３０６４６３号公報（特許文献１参照）に示されるように図４の構成になっていた。
【０００３】
この特許文献１のガス遮断装置について図４を用いて簡単に説明する。１は警報器、２はマイコンガスメータで、信号線を介して接続されている。マイコンメータ２は、ＮＣＵ３に接続され、電話回線４を介して図示していない監視センタに接続されている。
【０００４】
警報器１は、４はメタンガスセンサで、メタンを検出する。５はＣＯセンサで、ＣＯを検出するガスセンサである。６はＣＰＵで、検出ガスの発生によりメタンガスセンサ４やＣＯセンサ５の信号を検出する。センサ情報を連続的なガスの濃度値として検知する。７は音声ＬＳＩで、スピーカ８を介してガス漏れ状況を検出すると音声で周囲に通知する。９はＬＥＤで、ガス漏れ状況を検出すると表示し周囲に通知する。１０は電源回路で、最初に電源が警報器１に印加されると、前述の機能が動作開始する。
【０００５】
次に従来例の構成の動作を説明する。この種の警報器１は、多くの場合家庭の炊事場所におかれる。一般に都市ガスでは可燃ガスであるメタンガスを検知すると共に、不完全燃焼時に発生するＣＯガスを検知する場合がある。メタンガスセンサ４やＣＯセンサ５はその可燃性を利用し、高温のコイル付近で検出対象の可燃性ガスを燃焼させることによってセンサ温度が上昇し抵抗値変化等で検出される。ガスを検出すると、メタンガスセンサ４やＣＯセンサ５よりＣＰＵ６に出力され、ガス漏れを検知する。警報器１がガス漏れ状況の発生を検知すると、音声ＬＳＩ７を通じてスピーカ８やＬＥＤ９を介して表示や音声で周囲の人に通知する。
【０００６】
警報器１からのガス検知すると信号線を介し、マイコンメータ２に情報が送られ、更にマイコンメータ２よりＮＣＵ３を通し電話回線４を介して監視センタに通報する。種々の文献などにあるように、警報器１がガス漏れを検知し、マイコンメータ２の送られると、マイコンメータ２はガス供給を停止し、ガス通路を遮断する。ガス濃度が上昇すると、警報器１は警報アラーム送信を行う。更にガス濃度が上昇すると、１．５倍、２倍、２．５倍、３倍等のように一定の間隔のガス濃度上昇、低下に応じて送信を行う。
【特許文献１】特開平１１−３０６４６３号公報
【発明の開示】
【発明が解決しようとする課題】
【０００７】
しかしながら、上記従来の構成では、警報器がガス漏れを検出し、マイコンメータ１でガス供給を停止してもかなり高いガス濃度の状態になって遮断する場合があり、密閉された室内でストーブなどを使用している場合、利用者の生命等が危険な状態に長く置かれる場合があり安全性の面で課題を有することになる。
【０００８】
本発明は、上記課題を解決するもので、警報器より低濃度のガス漏れから、高濃度のガス漏れ検知まで多段の信号を受け、早期にガス供給を停止する、誤遮断がなく、安全性の高いガス遮断装置を提供するものである。
【課題を解決するための手段】
【０００９】
上記従来の課題を解決するために、本発明のガス遮断装置は、ガス漏れの有無を監視する警報器と、警報器に接続されると共に異常発生時にガスの供給を遮断するガス遮断装置であって、ガス流量を計測する流量検出手段と、流量検出手段の検出値より流量値を演算する流量演算手段と、流量演算手段より求めた瞬時流量値を平均化して平均流量値を求める平均流量演算手段と、平均流量演算手段で求めた平均流量より器具流量として判定時流量登録する流量登録手段と、警報器よりガス漏れの濃度レベルに応じた出力信号を入力するガス漏洩判定手段と、平均演算手段からの流量や流量登録手段からの登録流量やガス漏洩判定手段からの信号により使用器具の異常状態を監視し異常の有無を判定する異常判定手段と、警報器からの濃度に応じた警報信号を受信すると登録流量に対応した使用時間制限時間を変更し異常判定手段に出力し監視させる使用時間調整手段と、異常判定手段の異常判定成立した時ガスの供給を遮断する遮断手段とを備えたものである。
【００１０】
上記発明によれば、器具使用中にその使用流量が流量検出手段により検出され平均流量演算手段で平均化され、器具流量として流量登録手段に登録監視されている時に、警報器がガス漏れ検知し、ガス漏洩判定手段が警報信号を送ってきたのを検出した時、器具使用中であり、非常に濃度の低い初期段階の信号が送られてくると、異常判定手段では登録流量の該当する流量区分で使用時間監視されているが、使用時間調整手段により使用時間を短くする方向に変更され監視しなおし監視センタなどに通報すると共に、更に次に濃度の高い信号が送られてくると使用時間を更に短くし、更に濃度の高い信号を受信すると遮断することにより、極めて微量な段階から使用時間を制限し、濃度が高くなることにより更に制限することにより利用者の使い勝手を損なわず、警告通報する共に一方で器具の使用時間を制限することにより、ガス事業者の不要な出動回数が増大したり、濃度が上がってきているのに暖房器具のように本来長時間使用する器具を長時間使用するのを防止すると共に、使い勝手の低下するのを防止することができ、かつ安全性の高い。
【発明の効果】
【００１１】
本発明のガス遮断装置は、器具使用している最中に警報器がガス漏れ検知し、ガス漏洩判定手段が警報信号を送ってきたのを検出した時、器具使用中であり、流量検出手段により検出された流量が平均流量演算手段で平均化され、器具流量として流量登録手段に登録され監視されている時に、非常に濃度の低い初期段階の信号が送られてくると、異常判定手段では登録流量の該当する流量区分で使用時間監視されているが、使用時間調整手段により使用時間を短くする方向に変更され監視しなおし監視センタなどに通報すると共に、更に次に濃度の高い信号が送られてくると使用時間を更に短くし、更に濃度の高い信号を受信すると遮断することにより、極めて微量な段階から使用時間を制限し、濃度が高くなることにより更に制限することにより利用者の使い勝手を損なわず、警告通報する共に一方で器具の使用時間を制限することにより、ガス事業者の不要な出動回数が増大したり、濃度が上がってきているのに暖房器具のように本来長時間使用する器具を長時間使用するのを防止すると共に、使い勝手の低下するのを防止することができ、かつ安全性の高い効果がある。
【発明を実施するための最良の形態】
【００１２】
第１の発明は、ガス漏れの有無を監視する警報器と、前記警報器に接続されると共に複数のガス器具の使用状況を監視するとともに、異常発生時にガスの供給を遮断するガス遮断装置であって、ガス流量を計測する流量検出手段と、前記流量検出手段の検出値より流量値を演算する流量演算手段と、前記流量演算手段より求めた瞬時流量値を平均化して平均流量値を求める平均流量演算手段と、前記平均流量演算手段で求めた平均流量より器具流量として判定時流量登録する流量登録手段と、前記警報器よりガス漏れの濃度レベルに応じた出力信号を入力するガス漏洩判定手段と、前記平均演算手段からの流量や前記流量登録手段からの登録流量や前記ガス漏洩判定手段からの信号により使用器具の異常状態を
監視し異常の有無を判定する異常判定手段と、前記警報器からの濃度に応じた警報信号を受信すると登録流量に対応した使用時間制限時間を変更し前記異常判定手段に出力し監視させる使用時間調整手段と、前記異常判定手段の異常判定成立した時ガスの供給を遮断する遮断手段とを備えたことを特徴とするものである。
【００１３】
そして、器具使用中にその使用流量が流量検出手段により検出され平均流量演算手段で平均化され、器具流量として流量登録手段に登録監視されている時に、警報器がガス漏れ検知し、ガス漏洩判定手段が警報信号を送ってきたのを検出した時、非常に濃度の低い初期段階の信号が送られてくると、異常判定手段では登録流量の該当する流量区分で使用時間監視されているが、使用時間調整手段により使用時間を短くする方向に変更され監視しなおし監視センタなどに通報すると共に、更に次に濃度の高い信号が送られてくると使用時間を更に短くし、更に濃度の高い信号を受信すると遮断することにより、極めて微量な段階から使用時間を制限し、濃度が高くなることにより更に制限することにより利用者の使い勝手を損なわず、警告通報すると共に一方で器具の使用時間を制限することにより、ガス事業者の不要な出動回数が増大したり、濃度が上がってきているのに暖房器具のように本来長時間使用する器具を長時間使用するのを防止すると共に、使い勝手の低下するのを防止することができ、かつ安全性が高い。
【００１４】
第２の発明は、ガス漏れの有無を監視し無線送信手段を介し送信する警報器と、前記警報器に接続されると共に複数のガス器具の使用状況を監視するとともに、異常発生時にガスの供給を遮断するガス遮断装置であって、ガス流量を計測する流量検出手段と、前記流量検出手段の検出値より流量値を演算する流量演算手段と、前記流量演算手段より求めた瞬時流量値を平均化して平均流量値を求める平均流量演算手段と、前記平均流量演算手段で求めた平均流量より器具流量として判定時流量登録する流量登録手段と、前記警報器よりガス漏れの濃度レベルに応じた出力信号を入力するガス漏洩判定手段と、前記平均演算手段からの流量や前記流量登録手段からの登録流量や前記ガス漏洩判定手段からの信号により使用器具の異常状態を監視し異常の有無を判定する異常判定手段と、前記警報器からの警報信号を受信する無線手段と、前記無線手段を通じ前記警報器からの濃度に応じた警報信号を受信すると登録流量に対応した使用時間制限時間を変更し前記異常判定手段に出力し監視させる使用時間調整手段と、前記異常判定手段の異常判定成立した時ガスの供給を遮断する遮断手段とを備えたことを特徴とするものである。
【００１５】
そして、器具使用中に警報器がガス漏れ検知し無線送信手段でガス遮断装置に警報信号が送信され、その信号を無線手段で検知し更にガス漏洩判定手段が警報漏れ状態と検出した時、器具使用中であり、その使用流量が流量検出手段により検出され平均流量演算手段で平均化され、器具流量として流量登録手段に登録監視されている時に、非常に濃度の低い初期段階の信号が送られてくると、異常判定手段では登録流量の該当する流量区分で使用時間監視されているが、使用時間調整手段により使用時間を短くする方向に変更され監視しなおし監視センタなどに通報すると共に、更に次に濃度の高い信号が送られてくると使用時間を更に短くし、更に濃度の高い信号を受信すると遮断することにより、極めて微量な段階から使用時間を制限し、濃度が高くなることにより更に制限することにより利用者の使い勝手を損なわず、警告通報する共に一方で器具の使用時間を制限することにより、ガス事業者の不要な出動回数が増大したり、濃度が上がってきているのに暖房器具のように本来長時間使用する器具を長時間使用するのを防止すると共に、使い勝手の低下するのを防止することができ、かつ安全性が高い。
【００１６】
（実施の形態１）
図１は本発明の実施の形態１におけるガス遮断装置とガス器具の設置形態を示す図、図２は同ガス遮断装置の制御ブロック図である。
【００１７】
各家庭のガス供給管１１の入口部分にガス遮断装置１２が設置され、このガス遮断装置１２を経由した後のガス配管１３から分岐して家庭で使用する種々のガス器具が設置された場所まで配管されガスが供給される。例えば、屋外にはガス給湯器１４が設置され、このガス給湯器１４で生成される湯が水配管を介して台所の給湯栓１５、浴槽やシャワー装置が設置された風呂１６、リビング等に設置された床暖房１７に供給され、種々の使用形態を形成している。
【００１８】
また、屋内にあっては、台所に設置されたガステーブル１８、リビングや寝室等に設置されたガスファンヒータ１９にガスが供給されるが、台所やリビングや寝室などに警報器２０が設置されガス漏れ監視している。
【００１９】
そして、設置されたガス器具が使用されガスの消費が発生するとガス遮断装置１2でその使用量が計測され、そのデータが所定期間毎に累積記憶されている。このガス遮断装置１2に記憶されたデータはガス事業者からの定期的なデータ要求指令に基づいて所定の情報処理を行った後、ガス料金やガス使用量あるいはガス事業者が提供する割引サービス等の情報として需要家及びガス事業者に送信される。
【００２０】
図２は、ガス遮断装置１２と接続された警報器２０の制御ブロック図である。２０の警報器は一例として、ガスを検出し濃度レベルに応じ信号レベルが変化するガスセンサ２１と、その信号を増幅する増幅手段２２と、増幅された信号を処理するＣＰＵ２３とからなる。警報器２０はガス遮断装置１２の端子台等を通して接続される。警報器２０はガス遮断装置１２にガス濃度レベルが高くなる応じ、コード信号やアナログ信号を出力する。
【００２１】
ガス遮断装置１２として、本願目的を達成するひとつの構成例である。２４は流量検出手段で、ガス流量を計測する。なお、流量検出手段２４としては種々の方式があり、本実施の形態で示す流路内に設置された一対の超音波センサで超音波信号を一方から他方に発信しその伝搬時間より使用ガス流量を検出するものや、流路内に熱線式センサを設け流れにより変化するインピーダンスより流量を求めるもの、さらには計量膜によりガス量を検出し計量膜の機械的動作を磁石とリードスイッチあるいは磁気抵抗素子等により電気的パルス信号として流量を検出するものがある。
【００２２】
例えば超音波センサを用いた流量検出手段２４について簡単に説明すると、超音波を送信または受信する第１送受信器と受信または送信する第２送受信器が流れ方向に対抗して配置され、予め定めた周期毎に上流から下流へ、又下流から上流に向かって超音波信号を送信し、伝搬時間を計測する。そして、第１送受信器と第２送受信器との超音波の伝搬時間差から流路の大きさや流体の流れ状態を考慮して、２５の流量演算手段で瞬時流量値を求める。
【００２３】
そして、２６は平均流量演算手段で、所定周期で求められる瞬時流量値はここに入力され、所定個数の瞬時流量値を集合して平均化され平均流量値として算出される。２７は流量登録手段で、求めた平均流量値が所定流量以上の場合器具流量として、使用時間監視対象として登録される。通常前回もしくはＮ回前の流量値に対して流量変化幅が所定流量以上の場合器具流量として増加流量分を登録する。
【００２４】
２８はガス漏洩判定手段で、警報器２０より設置された部屋のガス濃度レベルに応じた信号を判定し、どのレベルかを判定する。ガス漏洩判定手段２８はアナログ信号を受信し処理したり、通信信号で受信したり、濃度レベルを符号化したディジタル信号で受信したりする。
【００２５】
２９は異常判定手段で、使用器具の監視を行う。異常判定手段２９は、流量登録手段２
７の登録流量より流量域に対応した器具連続使用制限時間、あるいは使用最大流量の監視判定値などが記憶されている。例えばストーブ等へガスを供給するホースが何らかの原因で外れた時、異常な大流量が発生するが、そのような状態を監視するための合計流量遮断値や、器具の通常使用する最大使用時間よりはるかに長く使用された場合に対応して使用時間の制限時間を規定した使用時間遮断制限時間を設定されており、この設定値と流量登録手段２７の登録流量値を異常判定手段２９で比較判定することで、登録流量値が使用最大流量値を超えていないか、あるいは器具使用時間が登録流量値に対応した器具連続使用制限時間を超えていないか等判定する。この異常判定手段２９で異常と判定したとき遮断手段３０に遮断信号を送ってガスの供給を停止する。また、遮断状態や遮断内容を液晶表示素子等に表示すると共にガスの安全監視を行っているセンターに通信手段３１などを通じて通報する。
【００２６】
３２は使用時間調整手段で、流量登録手段２７に器具流量が登録され異常判定手段２９で使用時間監視しているとき、ガス漏洩判定手段２８にガス漏れ信号が入力されたとき、ガス濃度レベルにより使用時間を調整する。使用時間を調整するたびに、通信手段３１を通じて、ガス事業者の監視センタ(図示せず)にガス漏洩信号により使用時間の制限変更した発呼通知を行う。また最も高い濃度レベルの警報信号がガス漏洩判定手段２８より出力された場合、異常判定手段２９に出力し即座に遮断手段３０を駆動する。
【００２７】
次に、以上のように構成されたガス遮断装置の動作を説明する。需要家宅で保有しているガス器具、例えばガスストーブ１９や給湯器１４等、が使用されるとその流量を流量検出手段２４で検出する。例えば超音波センサを用いた場合は超音波信号の伝搬時間が検出値として計測され、この信号が流量演算手段２５に送られて瞬時流量値として算出され、平均流量演算手段２６で所定個数毎の平均流量値として演算され、求めた平均流量は所定流量以上の流量変化の場合器具使用と判定して流量登録手段２７に登録される。
【００２８】
そして、異常判定手段２９は登録流量の属する流量区分より記憶している監視値、すなわち使用時間の制限時間値を参照して使用器具を監視する。或いは流量登録手段２７に登録される前に平均流量演算手段２６で求めた流量値が、ホース抜け等の原因による異常流量を超えていないかも並行して監視する。ガステーブル１８やガスファンヒータ１９等が使用されているとき、ゴムホースの劣化などの原因でガス漏れが発生し、警報器２０のガスセンサ２１が検出すると、第一段信号としてＣＰＵ２３よりガス遮断装置１２に送信される。ガス漏洩判定手段２８が第一段信号を検出すると、例えばガステーブル１８やガスファンヒータ１９を使用中で、当初７２０分より監視していた時間の残りの残時間を例えば３０分等に短縮する。同時に通信手段３１を介してガス事業者のセンタにガス漏洩検知による使用時間制限対応の発呼通信を行う。通常第一段の濃度レベルの警報信号は人体に影響を与えない極めて低レベルの信号である。警報器２０で検出したガス濃度が次第の高くなると第２段、第３段警報と変化し送られてくる。それに従って使用時間の残時間を次第に短くする。警報信号を入力し使用時間を短くすると共にセンタに発呼通信する。又ガス濃度レベルが一気に高くなり、ガス漏洩判定手段２８が最大濃度の極めて危険な警報信号を入力されたら、使用時間調整手段３２は調整時間を０に戻すと共に異常判定手段２９に出力し即座に遮断手段３０に遮断信号を出力しガスの供給を停止し安全性を確保している。
【００２９】
なお、本実施の形態に使用した数値限定は一例であり、又使用形態も本実施の形態に限定されるものではない。
【００３０】
以上のように、警報器２０でガス漏れを検出したら、ガス遮断装置１２側のガス漏洩判定手段２８では、ガス濃度レベルの信号に応じて、器具流量として流量登録手段２７に登録し監視している流量の使用時間を、使用時間調整手段３２を介して短縮し、かつガス事
業者のセンタに通報することにより、ガス濃度レベルの低い段階で早期に安全対策をガス事業者、或いはガス需要家に取らせることができ、極めて安全で、かつ使い勝手が高い。
【００３１】
（実施の形態２）
図３は本発明の実施の形態２におけるガス遮断装置の制御ブロック図である。図３において、図１、図２、及び図４と同一機能を行う手段には同一番号を付している。
【００３２】
図３において、各家庭の、台所に設置されたガステーブル１８、リビングや寝室等に設置されたガスファンヒータ１９にガスが供給され、台所やリビングや寝室などにガス漏れ監視用として警報器２０が設置されている。
【００３３】
警報器２０は一例として、３３は無線送信手段で、ガスセンサ２１がガスを検出し濃度レベルに応じ信号レベルが出力すると、増幅手段２２でその信号を増幅すると、ＣＰＵ２３が濃度レベルに応じた出力信号処理を行い、警報信号を無線送信手段３３より送信する。３４は無線通信手段で、ガス遮断装置１２とは別に設置されたり、内蔵されたり、一体化される。無線通信手段３４が警報器２０からガス漏れ警報信号を受信すると、ガス漏洩判定手段２８に出力したり、或いはガス遮断装置１２の通信手段３１を通してガス事業者のセンタに通報が可能である。
【００３４】
次に、以上のように構成されたガス遮断装置の動作を説明する。需要家宅で保有しているガス器具、例えばガスストーブ１９や給湯器１４等、が使用されるとその流量を流量検出手段２４で検出する。例えば超音波センサを用いた場合は超音波信号の伝搬時間が検出値として計測され、この信号が流量演算手段２５に送られて瞬時流量値として算出され、平均流量演算手段２６で所定個数毎の平均流量値として演算され、求めた平均流量は所定流量以上の流量変化の場合器具使用と判定して流量登録手段２７に登録される。
【００３５】
そして、異常判定手段２９は登録流量の属する流量区分より記憶している監視値、すなわち使用時間の制限時間値を参照して使用器具を監視する。或いは流量登録手段２７に登録される前に平均流量演算手段２６で求めた流量値が、ホース抜け等の原因による異常流量を超えていないかも並行して監視する。ガステーブル１８やガスファンヒータ１９等が使用されているとき、ゴムホースの劣化などの原因でガス漏れが発生し、警報器２０のガスセンサ２１が検出すると、増幅手段２２で増幅しＣＰＵ２３でガス漏れ警報検知として処理し、第一段信号をＣＰＵ２３より無線送信手段３３を介してガス遮断装置１２に送信される。ガス遮断装置１２側の無線通信手段３４がこのガス漏れ警報としての第一段信号を受信すると、ガス漏洩判定手段２８に第一段信号を出力する。ガス漏洩判定手段２８がガス漏れ信号を検出すると、例えばガステーブル１８やガスファンヒータ１９を使用中で、当初７２０分より監視していた時間の残りの残時間を例えば３０分等に短縮する。同時に通信手段３１を介してガス事業者のセンタにガス漏洩検知による使用時間制限対応の発呼通信を行う。通常第一段の濃度レベルの警報信号は人体に影響を与えない極めて低レベルの信号である。警報器２０で検出したガス濃度が次第の高くなると第２段、第３段警報と変化し送られてくる。それに従って使用時間の残時間を次第に短くする。警報信号を入力し使用時間を短くすると共にセンタに発呼通信する。又ガス濃度レベルが一気に高くなり、ガス漏洩判定手段２８が最大濃度の極めて危険な警報信号を入力されたら、使用時間調整手段３２は調整時間を０に戻すと共に異常判定手段２９に出力し即座に遮断手段３０に遮断信号を出力しガスの供給を停止し安全性を確保している。
【００３６】
なお、本実施の形態に使用した数値限定は一例であり、又使用形態も本実施の形態に限定されるものではない。
【００３７】
以上のように、無線によるガス漏れ通知方式の警報器２０でガス漏れを検出したら、ガ
ス漏れ通信信号をガス遮断装置１２側の無線通信手段３４で受信してガス漏洩判定手段２８に送信し、ガス漏洩判定手段２８では、ガス濃度レベルの信号に応じて、器具流量として流量登録手段２７に登録し監視している流量の使用時間を、使用時間調整手段３２を介して短縮し、かつガス事業者のセンタに通報することにより、ガス濃度レベルの低い段階で早期に安全対策をガス事業者、或いはガス需要家に取らせることができ、極めて安全で、かつ使い勝手が高い。
【産業上の利用可能性】
【００３８】
以上のように、本発明に係るガス遮断装置は、ガス漏洩濃度レベル信号に応じ監視しているガス流量器具の使用制限機能を適切に確保できるものであり、器具監視装置全般に適用できるものである。
【図面の簡単な説明】
【００３９】
【図１】ガス器具の設置形態を示す図
【図２】本発明の実施の形態１におけるガス遮断装置の制御ブロック図
【図３】本発明の実施の形態２におけるガス遮断装置の制御ブロック図
【図４】従来のガス遮断装置の制御ブロック図
【符号の説明】
【００４０】
１１  ガス供給管
１２  ガス遮断装置
１３  ガス配管
１４  給湯器
１５  給湯栓
１６  風呂
１７  床暖房
１８  ガステーブル
１９  ガスファンヒータ
２０  警報器
２１  ガスセンサ
２２  増幅手段
２３  ＣＰＵ
２４  流量検出手段
２５  流量演算手段
２６  平均流量演算手段
２７  流量登録手段
２８  ガス漏洩判定手段
２９  異常判定手段
３０  遮断手段
３１  通信手段
３２  使用時間調整手段
３３  無線送信手段
３４  無線通信手段
【図２】
2009047521.tif 000003
【図３】
2009047521.tif 000004
【図４】
2009047521.tif 000005
【図１】
2009047521.tif 000006